(57)【要約】【課題】  内容物をこぼさずに携帯することができ、運動時等でも簡単な操作で容器から液体の取り出しすることができる蓋体付き容器を提案する。【解決手段】  周壁12上面からノズル22を起立する蓋体10を容器体２上部へ嵌合させるとともに、該蓋体10上面へ、ノズル22外面に嵌合させるための有頂の覆合筒とノズル挿通孔42とを有するカバー30を、覆合筒38内へノズル22を液密に嵌合させた状態、及びノズル挿通孔42へノズル22を挿通させた状態を選択することが可能に上記蓋体10外面へ着脱自在に嵌合させた。【選択図】  図１
2006182432.tif 000002
【特許請求の範囲】
【請求項１】
頂壁20上面からノズル22を起立する蓋体10を容器体２上部へ嵌合させるとともに、該蓋体10上面へ、ノズル22外面に嵌合させるための有頂の覆合筒38とノズル挿通孔42とを有するカバー30を、覆合筒38内へノズル22を液密に嵌合させた状態、及びノズル挿通孔42へノズル22を挿通させた状態を選択することが可能に上記蓋体10外面へ着脱自在に嵌合させたことを特徴とする蓋体付き容器。
【請求項２】
頂壁20上面からノズル22を起立する蓋体10を容器体２上部へ嵌合させるとともに、該蓋体10上面へ、ノズル22外面に液密に嵌合させた有頂の覆合筒38とノズル挿通孔42とを有するカバー30の外周部34を、蓋体周壁12へ着脱自在に嵌合させ、かつそのカバー30の嵌合部分と蓋体10の被嵌合部分との各平面視形状を、中心軸Ａに対して回転対称形とし、かつその中心軸Ａに対して上記覆合筒38とノズル挿通孔42とを回転対称位置に配置したことを特徴とする、蓋体付き容器。
【請求項３】
上記カバー30の外周部34内面と蓋体周壁12外面とに、蓋体10へのカバー装着の際に上記覆合筒38の頂板40裏面へノズル22上端面が突き当たったときに相互に嵌合する第1、第２係合手段16,36を形成したことを特徴とする、請求項２記載の蓋体付き容器。
【請求項４】
上記カバー30は、ノズル22とノズル挿通孔42とを上記中心軸Ａに対して180度対称位置に配置したことを特徴とする、請求項２乃至請求項３記載の蓋体付き容器。
【発明の詳細な説明】
【技術分野】
【０００１】
本発明は、蓋体付き容器、特に各種飲料の収納に適したカップ状の蓋体付き容器に関する。
【背景技術】
【０００２】
ジュース等の清涼飲料の収納容器として、上面開口で広口の容器体周壁の上部外面に、蓋体頂壁から垂下した周壁を嵌合させた蓋体付き容器は広く使用されているが、例えば人と食事をしながら何度かに分けて飲料を飲む場合に、その度に蓋体を容器から取り外してテーブルの上に置くのは煩わしい。
【０００３】
そこで、この種蓋体付き容器の蓋体のうち、該蓋体頂壁中央部を左右方向へ延びる折返し線とこの折り返し線両端から頂壁後縁を経て蓋周壁の後壁部下端へ延びる切離し線とで囲まれる部分で蓋部を形成し、上記切離し線を破断させ、上記折返し線を中心に前方へ折り返した蓋部の先端部分を、上記頂壁の前縁部分へ係止させることが可能に形成して、蓋部折返し後の空所を飲み口とするように設けたものが提案されている（特許文献１）。
【０００４】
又上記のように容器に口を付ける飲み方と、ストローを使用した飲み方とを選択できるようにするため、上記蓋体付き容器の蓋体頂壁の左右両端部間に折返し線を横断させるとともにこの折返し線両端から蓋体周壁の下端へ切離し線を穿設し、かつ上記折返し線に対して前後線対称に位置させて、頂壁前部に穿設したストロー挿入用の透孔と、頂壁後部から起立する係止用突起とを設けたものも知られている（特許文献２）。
【特許文献１】実開昭５６−１００３７０号
【特許文献２】実公昭６０−１８３６３号
【発明の開示】
【発明が解決しようとする課題】
【０００５】
近年においては、スポーツドリンク入りの蓋体付き容器をバックなどに入れて携帯し、運動の途中や休憩時にそのドリンクを飲むことが行なわれている。
【０００６】
しかるに上記両特許文献の容器は、蓋体の頂壁乃至周壁に穿設した切離し線を破断させることで、蓋体頂壁の一部を折り返して開口するという構造であるので、切離し線を破断した後に容器を倒したりすると、その破断箇所から内容液が洩れる可能性があるので、バックなどに入れて携帯するのには適しない。
【０００７】
又、これら両文献では、容器体に口を付けて、或いはストローを使用して飲料を飲むように構成しているが、運動の途中に容器体に直接口を付けて飲料を飲もうとするとこの飲料が飲み口から飛び出すおそれがあり、又運動により体が疲労しているときにストローを容器体に装着するのは面倒である。
【０００８】
本発明は、内容物をこぼさずに携帯することができ、運動時等でも簡単な操作で容器から液体の取り出しすることができるようにするため、周壁上面からノズルを起立する蓋体を容器体上部へ嵌合させるとともに、該蓋体上面へ、ノズル外面に嵌合させるための有頂の覆合筒とノズル挿通孔とを有するカバーを、覆合筒内へノズルを液密に嵌合させた状態、及びノズル挿通孔へノズルを挿通させた状態を選択することが可能に上記蓋体10外面へ着脱自在に嵌合させたものを提供することを目的とする。
【課題を解決するための手段】
【０００９】
第1の手段は、頂壁20上面からノズル22を起立する蓋体10を容器体２上部へ嵌合させるとともに、該蓋体10上面へ、ノズル22外面に嵌合させるための有頂の覆合筒38とノズル挿通孔42とを有するカバー30を、覆合筒38内へノズル22を液密に嵌合させた状態、及びノズル挿通孔42へノズル22を挿通させた状態を選択することが可能に上記蓋体10外面へ着脱自在に嵌合させている。
【００１０】
「カバー」は、蓋体の上面を覆うためのもので、後述の第２の手段と同様に蓋体のノズル外面から少なくとも蓋体上面を覆うことが可能な形状としている。このカバーは、ノズルの先端面を液密に閉塞する覆合筒と、ノズル挿通孔とを有し、覆合筒内へのノズル嵌合状態と、ノズル挿通筒へのノズル嵌挿状態とを選択することが可能としている。この２つの状態を切り換える操作としては、蓋体からカバーを離脱して両状態の一方に対応する位置から他方へ対応する位置へ回転させ、再嵌合することが望ましい。もっとも上記切替え操作として、カバーを表裏反転させて蓋体上面へ再嵌合させることができるように構成することもできる。
【００１１】
第２の手段は、頂壁20上面からノズル22を起立する蓋体10を容器体２上部へ嵌合させるとともに、該蓋体10上面へ、ノズル22外面に液密に嵌合させた有頂の覆合筒38とノズル挿通孔42とを有するカバー30の外周部34を、蓋体周壁12へ着脱自在に嵌合させ、かつそのカバー30の嵌合部分と蓋体10の被嵌合部分との各平面視形状を、中心軸Ａに対して回転対称形とし、かつその中心軸Ａに対して上記覆合筒38とノズル挿通孔42とを回転対称位置に配置している。
【００１２】
本明細書において、「回転対称」とは「一つの図形を一定軸のまわりに一定の角度だけ移動しても変わらない性質」をいうものとし、又 「回転対称形」とは、中心軸の回りを少なくとも半回転させたときに元の形と一致する形」をいうものとする。任意角度回転しても不変である円形は当然として、（３６０／Ｎ）°回転しても不変である正Ｎ角形（但しＮは３以上の整数である）、或いは１８０度回転しても不変である楕円形、長円形、長方形などとすることができる。この場合には、楕円形等の長手方向を前後方向とすれば良い。
【００１３】
「カバーの嵌合部分…の平面視形状」は、蓋体の周壁外面にカバーの対応周壁部分内面を嵌合させているときには、この周壁部分内面を上方から透視したときの輪郭をいうものとする。又、中心軸とは、これら各形状の図形中心をいうものとする。
【００１４】
「ノズル挿通孔」は、ノズルをガタつかないように嵌合させることができる寸法に形成すると良い。
【００１５】
第３の手段は、上記第２の手段を有し、かつ上記カバー30の外周部34内面と蓋体周壁12外面とに、蓋体10へのカバー装着の際に上記覆合筒38の頂板40裏面へノズル22上端面が突き当たったときに相互に嵌合する第1、第２係合手段16,36を形成している。
【００１６】
第４の手段は、上記第２の手段又は第３の手段を有し、かつ上記カバー30は、ノズル22とノズル挿通孔42とを上記中心軸Ａに対して180度対称位置に配置している。
【発明の効果】
【００１７】
第１の手段に係る発明によれば、次の効果を奏する。
○本発明の容器では、飲料を飲むときには、蓋体10上面からカバー30を外して、ノズル22をカバー30の覆合筒38内から離脱させるとともに、このノズル22をノズル挿通孔42内に嵌挿させればよく、操作が簡単である。
○ノズル22の閉塞手段としてカバー30を蓋体10と別個に設けており、既述特許文献の如くこの蓋体の一部を破断させて注出口を開くものの如くその破断部から内容液が漏れることがないから、携帯に適している。
【００１８】
第２の手段に係る発明によれば、カバー30及び蓋体10の設計上の要請としては、それぞれの嵌合部分及び被嵌合部分の各平面視形状が円形・楕円形・正多角形などの回転対称形であれば良く、例えば蓋体頂壁をドーム形状に隆起させるという如く設計上のバリエーションが広がる。
【００１９】
第３の手段に係る発明によれば、カバー30を蓋体10上面に嵌合する際に、この覆合筒38の頂板40裏面へ上記ノズル22の上端面が液密に当接したときに、第1、第２係合手段16,36が相互に嵌合するように設けたから、その嵌合の手応えがあるまでカバー30を嵌め込むことでノズル上端のシール性を確実に確保することができる。
【００２０】
第４の手段に係る発明によれば、カバー30は、ノズル22とノズル挿通孔42とを上記中心軸Ａに対して180度対称位置に配置したから、このノズル挿通孔42内にノズル22を嵌挿させたときにこのノズル22からカバー30の覆合筒38を最も離すことができ、ノズル22に口を付けて内容物を吸飲する際に上記覆合筒が邪魔とならない。
【発明を実施するための最良の形態】
【００２１】
図１乃至図５は、本発明の第1実施形態を示している。
【００２２】
本発明に係る容器は、容器体２と蓋体10とカバー30とで形成している。
【００２３】
容器体２は、有底筒状であって広口の周壁４を有している。
【００２４】
蓋体10は、頂壁20の外縁部から周壁12を垂下しており、該蓋体周壁12を上記容器体周壁４の上部外面へ液密に螺合させている。図示例では、上記周壁12の上半部12a下端から鍔部14を介して大径の周壁下半部12ｂを垂下しており、この下半部分を上記容器体周壁４の上端部へ嵌合している。又、上記周壁の上半部12a外面には、第1係合手段16である突条を周設している。尚、本実施形態の蓋体10は上面から見て円形状に形成している。
【００２５】
本実施形態の頂壁20は、全体としてドーム形状、より正確には中心軸Ａに対して回転体形であるドーム形状に隆起させており、この頂壁前部から上面開口のノズル22を起立している。もっとも図示例と異なり、頂壁を平坦に形成しても良い。又、図示のノズル22は、円筒形に形成しているが、後述覆合筒のノズル外面への着脱が可能であればどのような形でも良い。
【００２６】
カバー30は、上記蓋体頂壁20に対応したドーム形の天板32周縁から、カバー外周部34である短い筒壁を垂下し、この筒壁を上記蓋体10の周壁上半部分12a外面へ液密に嵌合させている。又この筒壁の内面には、第２係合手段36であるリブを周設し、このリブの下面に上記第1係合手段16が係合可能に形成している。
【００２７】
又、上記天板32の前部からは有頂の覆合筒38を起立している。この覆合筒の内面は、上記ノズル22の外表面に対応して密着可能に付形しており、上記第１係合手段16下面への第２係合手段36の嵌合により、覆合筒38の頂板40裏面に上記ノズル22の先端面が液密に突き当たるような長さを有している。
【００２８】
又、上記天板32の後部には、上記ノズル22外径以上の径を有するノズル挿通孔42を穿設する。
【００２９】
これら覆合筒38とノズル挿通孔42とは蓋体10の中心軸Ａに対して180度回転対称な位置に設けている。もっとも蓋体10の平面視形状が円形である場合には、覆合筒38とノズル挿通孔42との位置関係は180度に限られず、任意に（例えば90度対称位置或いは120度対称位置に）設定することができる。
【００３０】
上記構成によれば、図１の状態で蓋体10は容器体２上面開口を、又、覆合筒38裏面はノズル22の上端開口をそれぞれ液密にシールしているため、各開口から液体が洩れることはない。図１の状態から、図３に矢示する如くカバー30を引き上げ、図４の如く180度回転させて、再嵌合させると、図５に示すように上記ノズル挿通孔42内へノズル22を挿通させると、このノズル22から内容物を吸飲することができる。飲み終わったときには、上記図５乃至図３の手順を逆に辿って図１の状態とすればよい。
【００３１】
図６は、本発明の第２実施形態である。この実施形態は、カバー30を表裏反転させて蓋体10上面に装着することで、覆合筒38内へノズル22を液密に嵌合させた状態と、ノズル挿通孔42内へノズル22を挿通させた状態とを選択可能に構成したものである。この場合には、ノズル挿通孔42と覆合筒38とを、蓋体頂壁の中心Ｏを左右方向に通過する対称軸に対して前後方向へ線対称な位置関係に配置する。又、蓋体頂壁及びカバー天板32はそれぞれ平坦に形成している。又、ノズル挿通孔42下方の頂壁部分を陥没させて覆合筒収納凹部24としている。この構成では、ノズル22を介して飲料物を飲むときに、覆合筒38が覆合筒収納凹部24内に組み込まれるので邪魔にならないという利点がある。
【００３２】
尚、44は、カバー30の天板32の上面外縁から起立した係合リブであり、カバーを裏返したときに蓋体周壁12へ嵌合可能に形成している。
【図面の簡単な説明】
【００３３】
【図１】本発明に係る蓋体付き容器の縦断面図である。
【図２】図１容器の分解状態での縦断面図である。
【図３】図１容器の開蓋操作の一過程の説明図である。
【図４】図３の次の過程を示す説明図である。
【図５】図１容器の開蓋操作完了の状態を示す説明図である。
【図６】本発明の第2の実施形態に係る容器の平面図である。
【符号の説明】
【００３４】
２…容器体  ４…周壁
10…蓋体  12…周壁  12a…同上半部  12ｂ…同下半部  14…鍔部
16…第１係合手段  20…頂壁  22…ノズル  24…覆合筒収納凹部
30…カバー  32…天板  34…外周部  36…第２係合手段  38…覆合筒
40…頂板  42…ノズル挿通孔  44…係合リブ  Ａ…中心軸    Ｏ…中心点
【図１】
2006182432.tif 000003
【図２】
2006182432.tif 000004
【図３】
2006182432.tif 000005
【図４】
2006182432.tif 000006
【図５】
2006182432.tif 000007
【図６】
2006182432.tif 000008